(57)【要約】【課題】仏壇内又は部屋内で塔婆を支持できる塔婆立を提供する。【解決手段】塔婆立１０を、地上に載置される基台１２と、基台１２上に立設され、その立設方向に延びる摺動板１４及び係合溝１６を有する支持手段１８とを備えて構成した。また、基台１２の中央部３０には沙羅の木の五弁花の模様を仏事装飾として施した。また、支持手段１８を、塔婆２０を上から一対の係合溝１６に挿入し、摺動板１４に沿って下へ摺動させることにより、塔婆２０の取り付けができるように構成した。【選択図】  図１
2004329592.tif 000002
【特許請求の範囲】
【請求項１】
塔婆を立てて支持する塔婆立において、
仏壇内又は部屋内に定置される基台と、
該基台上に立設され、該立設方向に延びる摺動板及び係合溝を有する支持手段と、
を備えた塔婆立。
【請求項２】
前記塔婆を前記摺動板との間に挟持した状態で磁力によって固定する固定具を備えた請求項１に記載する塔婆立。
【請求項３】
前記基台に仏事装飾が施された請求項１又は請求項２に記載する塔婆立。
【請求項４】
塔婆を立てて支持する塔婆立において、
仏壇内又は部屋内に定置される基台と、
該基台上に立設された一対の支柱と、
該一対の支柱間に掛け渡され、塔婆を支持する支持手段と、
該塔婆を該支持手段との間に挟持した状態で磁力によって固定する固定具と、
を備えた塔婆立。
【請求項５】
前記支柱に仏事装飾が施された請求項４に記載する塔婆立。
【発明の詳細な説明】
【０００１】
【発明の属する技術分野】
本発明は、塔婆を立てて支持する塔婆立に関する。
【０００２】
【従来の技術】
従来から、仏壇用の塔婆は、仏壇内や仏壇の外に立て掛けて使用されている。しかし、立て掛けただけでは、倒れることもあり、取扱が不便であった。なお、墓地において塔婆を立てるための塔婆立が案出されている（例えば、特許文献１、特許文献２及び特許文献３参照。）。しかし、これらの塔婆立は、風による塔婆の動揺を考慮したものであり、外で使用することを目的としたものであった。また、装飾性に優れたものではなかった。
【０００３】
【特許文献１】
特開２０００−０９３２８７
【特許文献２】
特開平０８−２０９９８１
【特許文献３】
特開平０８−０８２１２２
【０００４】
【発明が解決しようとする課題】
そこで、本発明者は、このような課題の原因を究明してこのような課題を解決するべく、鋭意研究を重ねた結果、本発明に至ったのである。
【０００５】
すなわち、本発明は、仏壇用の塔婆を安定した状態で立てることができ、しかも、装飾性に優れた塔婆立を提供することを目的とする。
【０００６】
【課題を解決するための手段】
本発明の塔婆立は、塔婆を立てて支持する塔婆立において、仏壇内又は部屋内に定置される基台と、該基台上で鉛直方向に延びる摺動板及び係合溝を有する支持手段と、を備えたことを特徴とする。
【０００７】
また、本発明の塔婆立は、前記塔婆立において、前記塔婆を前記摺動板との間に挟持した状態で磁力によって固定する固定具を備えたことを特徴とする。
【０００８】
また、本発明の塔婆立は、前記塔婆立において、前記基台に仏事模様が施されたことを特徴とする。仏事装飾とは、竜若しくは獏等の霊獣の模様若しくは模型、蓮若しくは菊等の仏花の模様若しくは模型、又は、雲、岩若しくは月等の自然の模様若しくは模型であって、仏壇、仏具又は墓用品等の仏事用品に施される模様である。
【０００９】
また、本発明の塔婆立は、塔婆を立てて支持する塔婆立において、仏壇内又は部屋内に定置される基台と、該基台上で鉛直方向に延びる一対の支柱と、該一対の支柱間に掛け渡され、塔婆を支持する支持手段と、該塔婆を該支持手段との間に挟持した状態で磁力によって固定する固定具と、を備えたことを特徴とする。
【００１０】
また、本発明の塔婆立は、前記塔婆立において、前記支柱に仏事装飾が施されたことを特徴とする。
【００１１】
【発明の実施の形態】
次に、本発明に係る塔婆立の実施の形態について、図面に基づいて詳しく説明する。
【００１２】
図１乃至図３において、符号１０は、本発明の塔婆立である。この塔婆立１０は、地上に載置される基台１２と、基台１２上に立設され、その立設方向に延びる摺動板１４及び係合溝１６を有する支持手段１８とを備えている。
【００１３】
基台１２は、仏壇内又は部屋内に定置される基板２４と、基板２４上に固定された段状部材２６と、段状部材２６の上面の周囲に固定された欄干（高欄）２８とから構成されている。段状部材２６は中央部３０へいくに従って狭くなる段状に構成され、中央部３０には沙羅の木の五弁花の模様が仏事装飾として施されている。また、段状部材２６の上端及び下端には、側面に仏事装飾の施された触板３２が備えられている。なお、仏事装飾は金色であることが好ましい。欄干２８は、寺等で装飾のために又は柵として使用されている欄干を真似た形状をしている。
【００１４】
支持手段１８は、立設方向に長く延びる平面状の摺動板１４と、同方向に長く延びる一対の係合溝１６とから構成され、塔婆２０を上から一対の係合溝１６に挿入し、摺動板１４に沿って下へ摺動させることにより、塔婆２０の取り付けができるように構成されている。また、支持手段１８は、図１（ｂ）に示すように、基台１２の段状部材２６の背面側端部上に固定され、塔婆２０に書かれた戒名（法名）が正面から見え易いように構成されている。また、支持手段１８及び基台１２の背面側は面一に構成され、この背面側を仏壇内の壁等に接触させて載置しやすいように構成されている。
【００１５】
このような構成の塔婆立１０は、法要の時又は日常において使用する場合、塔婆２０を上から一対の係合溝１６に挿入し、摺動板１４に沿って下へ摺動させ、塔婆２０の下端を段状部材２６の上面に密着させることにより、塔婆２０が取り付けられて支持される。塔婆立１０は、このように塔婆２０が支持手段１８に支持された状態で、仏壇内又は仏壇の前に載置されて使用される。塔婆２０を取り外す必要が生じた場合には、塔婆２０を上へ摺動させて支持手段１８から取り外される。
【００１６】
以上、本発明の一実施形態について説明したが、本発明の塔婆立は、その他の形態でも実施し得るものである。
【００１７】
例えば、塔婆立１０において、図４に示すように、磁石体２１と、この磁石体２１に吸着される固定具２３とを備えても良い。磁石体２１と固定具２３との間に塔婆２０を挟みながら固定具２３を磁石体２１に吸着させることにより、塔婆２０を固定できる。また、固定具２３を金色から構成することにより、装飾的価値を高めることができる。
【００１８】
また、塔婆立１０において、図５に示すように、係合溝１６内に弾性体１７を備えても良い。塔婆２０を一対の弾性体１７の間に圧入することにより、塔婆２０を固定できる。
【００１９】
次に、本発明の塔婆立は、図６乃至図９に示す塔婆立５０であっても良い。この塔婆立５０は、仏壇内又は部屋内に定置される基台５２と、基台５２上に立設された一対の支柱５４と、一対の支柱５４間に掛け渡され、複数の塔婆２０を支持する支持手段５６と、塔婆２０を支持手段５６との間に挟持した状態で磁力によって固定する固定具５８とを備えて構成されている。
【００２０】
支柱５４の正面側には、上から順に、雲、竜及び岩の金色の模様が施されている。なお、これら金色の模様は左右対称ではない。また、一対の支柱５４の外側面には、霊獣の金色の模型６０が固定されている。また、支柱５４の金色の擬宝珠６２が固定されている。
【００２１】
支持手段５６は、支柱５４間に掛け渡され、塔婆２０を立て掛ける棒状部材６４と、棒状部材６４に平行なポール６６と、棒状部材６４に平行な磁石体６８とを備えている。磁石体６８は、図９に示すように、コの字断面の磁石棒７０と、６枚の塔婆２０を支持する６箇所に対応する磁石棒７０のコの字内面に設けた磁石片７２とを備え、６枚の塔婆２０を支持する６箇所において磁力の強化を図っている。また、磁石片７２によって塔婆２０を固定する位置を確認でき、塔婆２０及び固定具５８の位置決めが容易となる。固定具５８は、磁石体６８に吸着される磁性体又は金属から構成され、磁石体６８と固定具５８との間に塔婆２０を挟んで固定できるように構成されている。固定具５８は、摘子７４を備えるが、この摘子７４を含めて金色に構成し、装飾的価値を高めている。
【００２２】
このような構成の塔婆立５０は、使用する場合、塔婆２０を棒状部材６４とポール６６との間に上から挿入し、塔婆２０の下端を基台５２の上面に密着させた後、固定具５８を塔婆２０の下部付近に吸着させることにより、塔婆２０を固定する。塔婆２０を取り外す場合、固定具５８の摘子７４を摘んで固定具５８を取り外し、塔婆２０を上へ抜き出す。
【００２３】
また、塔婆立５０において、図１０に示すように、塔婆立１０と同様の支持手段１８を、６個備えても良い。塔婆立１０と同様の作用が生じる。
【００２４】
以上、本発明の実施形態について図面に基づいて説明したが、本発明の塔婆立は、図示しない形態でも実施し得るものである。
【００２５】
例えば、本発明の塔婆立に、上述した仏事装飾以外の仏事装飾を施しても良い。また、仏事装飾を施す前の地の色は漆色等、特に限定されない。
【００２６】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００２７】
【発明の効果】
本発明の塔婆立によれば、仏壇用の塔婆を仏壇内又は部屋内で塔婆を支持できるため、仏壇用の塔婆の取扱が容易となる。また、支持手段の立設方向に延びる摺動板及び係合溝を有するため、塔婆の取り付け又は取り外しを容易に行うことができる。また、仏事装飾を施すことにより、仏壇内または仏壇の前で使用しても、周囲との美観的調和を保って違和感がなく、装飾的効果を高めることができる。なお、本発明の塔婆立は屋内で使用するため、漆塗りを施したり仏事装飾を施すことが可能となる。
【００２８】
また、塔婆を磁力によって固定する本発明の塔婆立によれば、塔婆を容易に固定又は取り外しできるだけでなく、複数の塔婆を固定することが可能となる。すなわち、複数の塔婆を並べて支持しても、磁力で固定することにより、塔婆がずれて塔婆同士が重なり合ったり接触し合ったりすることがなくなる。なお、本発明の塔婆立は屋内で使用するため、磁力を利用して塔婆を固定することが可能となる。これは、屋外で磁石を使用した場合には、磁石の酸化によって磁石の吸着力が弱まると考えられるからである。
【図面の簡単な説明】
【図１】本発明の塔婆立を示す図であり、同図（ａ）は正面図であり、同図（ｂ）は右側面図である。
【図２】図１の塔婆立を示す図であり、同図（ａ）は背面図であり、同図（ｂ）は平面図であり、同図（ｃ）は底面図である。
【図３】図１の塔婆立を示す図であり、同図（ａ）はＡ−Ａ線切断部断面図であり、同図（ｂ）はＢ−Ｂ線切断部断面図である。
【図４】本発明の塔婆立の他の実施形態を示す図であり、同図（ａ）は正面図であり、同図（ｂ）は右側面断面図である。
【図５】本発明の塔婆立の更に他の実施形態を示す平面図である。
【図６】本発明の塔婆立の更に他の実施形態を示す図であり、同図（ａ）は正面図であり、同図（ｂ）は右側面断面図である。
【図７】図６の塔婆立を示す背面図である。
【図８】図６の塔婆立を示す図であり、同図（ａ）は平面図であり、同図（ｂ）は底面図である。
【図９】図６の塔婆立を示す図であり、同図（ａ）は塔婆を外した状態を示す正面図であり、同図（ｂ）は塔婆を外した状態を示す右側面図である。
【図１０】本発明の塔婆立の更に他の実施形態を示す正面図である。
【符号の説明】
１０、５０：塔婆立
１２：基台
１４：摺動板
１６：係合溝
１８：支持手段
２０：塔婆
５２：基台
５４：支柱
５６：支持手段
５８：固定具
【図１】
2004329592.tif 000003
【図２】
2004329592.tif 000004
【図３】
2004329592.tif 000005
【図４】
2004329592.tif 000006
【図５】
2004329592.tif 000007
【図６】
2004329592.tif 000008
【図７】
2004329592.tif 000009
【図８】
2004329592.tif 000010
【図９】
2004329592.tif 000011
【図１０】
2004329592.tif 000012